(57)【要約】  シャフトに沿う流体洩れを防ぐためのダイナミックシーリング編成は、多数のシールおよび与圧したバリア封止剤を含む。一局面によると、少なくとも３つのシールがシャフトに沿って編成され、第１および第２シール間に与圧したバリア封止剤を有し、回収領域が、発生するかもしれない洩れがあればそれを回収するように第２および第３シール間に設けられる。漏れがある場合には、回収された漏れは出力ポートに流出される。別の局面によると、シャフトのためのダイナミックシーリング編成を支持し、ピストンチャンバを画成するとともに、ピストンチャンバを２つのシール間のバリア封止剤与圧チャンバに接続するドリル穿孔流路を画成する単体シールブロック部材が提供される。かなりの分の配管が単体本体内に内蔵され、追加部品の必要性や複雑さを最小限にする。
2007500331.tif 000002
【特許請求の範囲】
【請求項１】
可動シャフトに沿う流体洩れを防ぐためのダイナミックシーリング編成を提供する装置であって：
ハウジングを貫通する前記可動シャフトを収納するハウジングと；
前記シャフトに係合する、前記ハウジング内の第１シールと；
前記第１シールと離間した関係で、前記シャフトに係合する、前記ハウジング内の第２シールと；
前記第１および第２シール間に収容されるバリア封止剤と；
前記第１および第２シール間に収容された前記バリア封止剤を与圧するようになされた負荷部材と；
前記第２シールと離間した関係で、前記シャフトに係合する、前記ハウジング内の第３シールと；
前記第２および前記第３シール間の、前記ハウジング内の回収領域と；
前記回収領域を出力ポートへ接続する、前記ハウジング内の回収路とを備える；
装置。
【請求項２】
前記出力ポートへ接続されたセンサ機構を更に備え、前記センサ機構は、前記第２シールを通過する流体および／またはバリア封止剤の洩れを検知するようになされる；
請求項１の装置。
【請求項３】
前記出力ポートに栓をする栓を更に備える；
請求項１の装置。
【請求項４】
前記出力ポートへ装着され、外部汚染物質が前記第２シールに作用することを防ぐ通気フィルタを更に備える；
請求項１の装置。
【請求項５】
前記回収路と流体連通し、前記回収領域から前記出力ポートへの一方向流れを許容するように編成された圧力逃し弁を更に備える；
請求項１の装置。
【請求項６】
前記第３シールは周囲環境へ曝される外部シールであり、前記第１および第２シールは前記外部シールによって前記周囲環境から保護された内部シールである；
請求項１の装置。
【請求項７】
前記負荷部材は、前記シールおよび前記シャフトから離されて、前記流体の圧力を受けるように編成されたピストンを備え；
前記ピストンを前記第１および第２シール間のバリア封止剤へ接続する封止剤流路を更に備える；
請求項１の装置。
【請求項８】
前記ハウジングは、前記ダイナミックシーリング編成を支持するための、およびリザーバを形成するための単一の単体本体を備えるシールブロック部材であり、前記シールブロック部材は弁本体へ装着され、前記弁本体内に、前記シャフトと一体の弁を更に備える；
請求項１の装置。
【請求項９】
前記シールブロック部材は、前記第１、第２、および第３シールを収納する穴を画成し；
前記シャフトの回りに同軸で前記第１および第２シールを隔てる第１スペーサと、前記シャフトの回りに同軸で前記第２および第３シールを隔てる第２スペーサとを含むラジアル方向貫通ポートを有するスペーサと；前記シールおよびスペーサを前記穴内に固定するリテーナ機構とを更に備える；
請求項８の装置。
【請求項１０】
前記第１、第２および第３シールは、エラストマーシール本体と、前記エラストマーシール本体にラジアル方向外向きの力を及ぼす内部ばね機構とを備えるラジアル方向ワイパーシールであり、前記ワイパーシールの各々は前記シャフトに対してラジアル方向外向きであり、そして前記シールブロック部材に対してラジアル方向内向きである；
請求項９の装置。
【請求項１１】
流体洩れを防ぐためのダイナミックシーリング編成を有する装置であって、該装置は、前記流体を連通させるための流体路を画成する弁本体と、前記弁本体内にあって前記流体の流れを調整するための弁と、前記弁へ一体的に接続されたシャフトとを含み：
前記弁本体へ装着するシールブロック部材であって、前記ダイナミックシーリング編成を支持するための、およびリザーバを形成するための単一の単体本体であり、前記シャフトをスライド可能に収納するようになされたシャフト穴を画成するシールブロック部材と；
前記シールブロック部材によって支持され、前記シャフトにシールしながら係合するようになされた第１シールと；
前記シールブロック部材によって支持され、前記第１シールと離間した関係で前記シャフトにシールしながら係合するようになされた第２シールと；
前記シャフト穴に対して離された位置で、前記シールブロック部材内に形成されたピストンチャンバであって、バリア封止剤を収容するピストンチャンバと；
前記離された位置で前記ピストンチャンバ内をスライド可能なピストンであって、前記流路へ曝されるように編成されたピストン面を有するピストンと；
前記シールブロック部材によって画成され、バリア封止剤の連通のために前記ピストンチャンバを前記第１および第２シールとの間に画成されたバリア封止剤領域へ接続するバリア封止剤流路とを備える；
装置。
【請求項１１】
前記シールブロック部材へ装着され、前記ピストンチャンバを封止するエンドキャップを更に備える；
請求項１０の装置。
【請求項１２】
前記ピストンへ一体的に接続され、前記エンドキャップを貫通して延びるレベル表示器ステムを更に備える；
請求項１１の装置。
【請求項１３】
前記レベル表示器ステムは、前記ピストンチャンバ内の前記バリア封止剤のレベルを表示するための目盛手段を備える；
請求項１２の装置。
【請求項１４】
前記シールブロック部材内に画成され、前記ピストンチャンバへ接続された取入ポートと、前記取入ポート内へ装着された封止剤注入取付部品を更に備える；
請求項１２の装置。
【請求項１５】
前記エンドキャップと前記シールブロック部材との間に配設され、その間の洩れを防ぐための第１キャップシールと、前記エンドキャップによって支持され、前記レベル表示器ロッドにシールしながら係合し、その間の洩れを防ぐための第２キャップシールとを更に備える；
請求項１２の装置。
【請求項１６】
前記ハウジングによって支持され、前記第２シールと離間した関係で前記シャフトにシールしながら係合する第３シールと、前記第２と前記第３シールとの間の前記ハウジング内の回収領域と、前記シールブロック部材内に画成され、前記回収領域を出力ポートへ接続する回収路とを更に備える；
請求項１０の装置。
【請求項１７】
前記回収領域は、前記シールブロック部材内へ形成された環部を備える；
請求項１６の装置。
【請求項１８】
前記シールブロック部材は、前記第１、第２、および第３シールを収納する穴を画成し；
前記シャフトの回りに同軸で前記第１および第２シールを隔てる第１スペーサと、前記シャフトの回りに同軸で前記第２および第３シールを隔てる第２スペーサとを含むラジアル方向スルーポートを有するスペーサと；前記シールおよびスペーサを前記穴内に固定するリテーナ機構とを更に備える；
請求項１６の装置。
【請求項１９】
前記第１、第２および第３シールは、エラストマーシール本体と、前記エラストマーシール本体にラジアル方向外向きの力を及ぼす内部ばね機構とを備えるラジアル方向ワイパーシールであり、前記ワイパーシールの各々は前記シャフトに対してラジアル方向外向きであり、そして前記シールブロック部材に対してラジアル方向内向きである、
請求項１８の装置。
【請求項２０】
ハウジング内に形成された穴を貫通する可動シャフトに沿う流体洩れを防ぐためのダイナミックシール組立体であって：
前記可動シャフトに沿いアキシャル方向に離間した関係で編成されるように構成された少なくとも３つのシールと；前記少なくとも３つのシールの内の２つをアキシャル方向で隔てるための、そして前記第１および第２シール間に与圧したバリア封止剤を連通するための第１スペーサ手段と；前記少なくとも３つのシールの内の２つをアキシャル方向に隔てるための、そして前記シールの洩れを回収するための回収領域を画成するのを支援するための第２スペーサ手段とを備える；
ダイナミックシール組立体。
【請求項２１】
前記シール組立体を成形された穴内に固定するための手段を更に備える；
請求項２０のダイナミックシール組立体。
【請求項２２】
前記シールの内の隣接するシール間に編成された複数のシールリテーナ要素と、前記シールリテーナ要素をアキシャル方向に係合するためのスペーサ手段とを更に備える；
請求項２０のダイナミックシール組立体。
【請求項２３】
前記少なくとも３つのシールは、ラジアル方向外向きのラジアル方向シールと、ラジアル方向内向きのラジアル方向シールとを提供するワイパーシールを備える；
請求項２０のダイナミックシール組立体。
【請求項２４】
前記少なくとも３つのシールの各々は、略Ｕ字状のエラストマー部材と、略Ｕ字状のエラストマー部材の対向脚部にラジアル方向外向きの力を付勢する略Ｕ字状のバネ部材とを備える；
請求項２３のダイナミックシール組立体。
【発明の詳細な説明】
【技術分野】
【０００１】
本発明はシール組立体に関し、より詳細には与圧したダイナミックシール編成に関する。
【背景技術】
【０００２】
ポンプ、弁、それらの同等品等の流体制御装置のための２つのシール間へ、与圧したバリア封止剤流体を使用するという提案は一般的に知られている。例えば、与圧したダイナミックシャフトシーリング編成が、米国特許であるアーバックル（Ａｒｂｕｃｋｌｅ）の第５，７４６，４３５号、アーバックルの第６，１６１，８３５号、ブレッドメイヤー（Ｂｒｅｄｅｍｅｙｅｒ）の第５，７７２，２１６号、およびブレッドメイヤーの第５，６０７，１６５号に開示されている。このような与圧したダイナミックシーリング編成はプロセスガス業界で弁およびその同等品に使用されて、より確実に、プロセスガス（例えば、天然ガス、気体燃料等）が洩れないように、すなわち危険な外部環境を招来しないようにしている。
【０００３】
これらの特許は、与圧したバリア封止剤を使用して２つの離間したシールへ、対向するアキシャル方向流体力を提供することを開示している。これらの編成では、バリア封止剤流体の圧力は、普通はプロセスガス圧力より高いので、洩れが発生しても、その大部分または全部は、プロセスガスではなくバリア封止剤である。これらの特許には、封止剤洩れ発生の有無を表示する表示機構が開示されている。
【発明の開示】
【発明が解決しようとする課題】
【０００４】
上記特許に開示された概念が持つ問題は、概念が複雑で実施するには費用がかかるとみられることである。より具体的には、これらの提案は配管編成が複雑であり、構造的に実施するには実用的でなく、および／または、予め負荷したバリアを設置するために多くの複雑な部品が必要である。更に、これらの特許の少なくとも何件かに開示された表示機構は、精度に問題があったり、問題の的確な原因を直ちに表示しなかったり、および／または、現場での実施もしくは異なる用途にわたっての実施が困難であったり、非実用的であったりする。結局、本発明によって明らかとなるように、これら従来技術の概念は初期故障あるいは漏洩の可能性を免れないのである。
【課題を解決するための手段】
【０００５】
本発明の一局面によると、本発明は、シャフトに沿う流体洩れを防ぐためのダイナミックシーリング編成を提供し、シャフトに沿って編成された少なくとも３つのシールを備え、与圧したバリア封止剤を第１および第２シール間に、そして洩れたガスまたはバリア封止剤を回収する回収領域を第２および第３シール間に有する。
【０００６】
このシーリング編成を含む装置は、流体を受け入れるようになされたハウジングを含む。シャフトがハウジングを貫通して延び、ハウジングに対して移動できる。第１シールがハウジングによって支持され、シャフトにシールしながら係合する。第２シールもハウジングによって支持され、第１シールとはアキシャル方向に離間した関係でシャフトにシールしながら係合する。第１および第２シール間に収められたバリア封止剤は負荷部材により与圧され、対向するアキシャル方向力を第１および第２シールへ提供する。本発明は更に、ハウジングにより支持されて第２シールとは離間した関係でシャフトにシールしながら係合する第３シールと、第２および第３シール間のハウジング内にある回収領域とを含む。ハウジング内の回収路は回収領域を出力ポートへ接続し、出力ポートは、シーリング編成がどれほど良好に働いているかを測定することに使用できる計器および／または回収装置へ装着可能であり、あるいは、出力ポートに栓をして密封するか、あるいは物質の進入を防ぐフィルタを通して排気してもよい。
【０００７】
好ましい実施の形態の一局面は、第３シールが、塵埃その他の汚染物質の進入を防ぐように外部環境と隣接する外部シールとして編成されることであり、そうすることで、アキシャル方向のバリア封止剤負荷を受けるシールが、初期故障の原因となり得る外部汚染物質から汚染物質フリーであることを確実にする。
【０００８】
本発明の他の局面によると、シャフト用ダイナミックシーリング編成を支持するとともに、ピストンチャンバと、ピストンチャンバを２つのシール間のバリア封止剤与圧チャンバに接続する穿孔路とを画成する単体シールブロック部材が提供される。このようにして、かなりの分の配管が単一の本体に内蔵され、追加の構成要素に対する必要性や複雑さを最小限にする。
【０００９】
本発明の他の局面、目的および利点は、付帯図面に関連して考察するとき、以下の詳細な説明からより明白になるであろう。
【発明を実施するための最良の形態】
【００１０】
図３を参照すると、本発明の好ましい実施の形態が、可動シャフト１２に沿うプロセス流体洩れを防ぎ、ごみ、汚染物質その他異物の進入を防止するシール組立体１０として図解されている。本発明は、別体のシールブロック部材１４または他の適切な種類のハウジングへ内蔵されるのが好ましい。好ましい実施の形態では、シールブロック部材１４は、ばねハウジング１６と弁本体１７との間に挟持される。可動シャフト１２は直線的および／または回転的に移動可能としてもよい。ここで示すように、可動シャフト１２は弁本体１７内を直線的にスライドして弁流路２１に沿うプロセス流体流を調整する弁部材２０へ一体に接続されている。
【００１１】
本明細書に示すような新規シーリング編成は、ウッドワード・ガバナー社（Ｗｏｏｄｗａｒｄ  Ｇａｖｅｒｎｏｒ  Ｃｏｍｐａｎｙ）へ譲渡された、２００３年１月１０日出願のグリーブ（Ｇｒｅｅｂ）他の米国特許出願第１０／３４０，０１７号に開示されているように、電動ウエルヘッド弁に採用できる。その開示全体を引用して本明細書に組込む。しかし、この出願に付帯するいくつかの請求項は、広義に書かれてので、可動シャフトとハウジングとの間にシーリングを生ずる他の用途も網羅するように意図していることがわかる。
【００１２】
シールブロック部材１４を参照して、本発明の一局面によると、シールブロック部材１４は、その内部に流路、ポート、穴、チャンバおよび／または孔を形成した、単一の独立した中実鋼鉄部材である。中央段付穴２２が、シールブロック部材１４の中央を貫通して形成され、シャフト１２をスライド可能に収納する。図示の方向において、段付穴２２は、底部の保持肩部２４と、アキシャル方向に離間したチャンバ２８、３０（回収チャンバ３０およびバリア封止剤チャンバ２８）内への流体連通を助けるために使用し得る一対の拡大環部２６、２７を含む。
【００１３】
シール組立体１０は、シャフト１２の回りに同軸な穴２２へ挿入される。図２に示すように、シール組立体１０は、３つのシール３２、３４、３６、一対の穿孔スペーサリング３８、４０、複数のシールリテーナリング４２ａ〜ｄ、円筒形軸受リテーナ４２ｅ、座金４４、およびスナップリング４６を含む。肩部２４がシール組立体１０をその一端でアキシャル方向に支持し保持する一方、穴２２の他端でアンカーあるいは溝４８内に取外し可能に装着されたスナップリング４６がシール組立体１０を穴２２内に保持する。シールリテーナリング４２ａ〜ｅ（および一端でリテーナとしての役割を果たす肩部２４）が、シール３２、３４、３６の各々の対向側に置かれて、シール３２、３４、３６の限定されたいくらかのアキシャル方向移動を許容する。
【００１４】
穿孔スペーサリング３８、４０は、シール組立体１０を通してラジアル方向に流体を連通するように、スルーポート５０を画成する。穿孔スペーサリング３８、４０は、それぞれの環部２６、２７に編成され、流体をシャフト表面と、それぞれの環部２６、２７または穴の内面との間に連通する。
【００１５】
好ましい実施の形態において、シール３２、３４、３６は同一構造であり、全てがラジアル方向シール（ワイパーシールとして知られている）であり、略Ｕ字状のエラストマー部材５２と、このエラストマー部材５２の脚部を内向きおよび外向きに付勢する略Ｕ字状の金属ばね部材５４とを含んでもよい。このように、シール３２、３４、３６の各々は、シャフト１２に対してラジアル方向内向きに、穴２２に対してラジアル方向外向きにシールしながら係合する。シール３２、３４、３６は、シャフトに沿って離間した関係で編成され、適切なスペーサリング３８、４０および／またはリテーナリング４２ａ〜ｅによって隔てられる。
【００１６】
第１チャンバ２８は、グリース等の任意の適切なバリア流体を収容し、それには弁流路２１内の圧力より大きい圧力をかけるのが普通である。この加圧を行うために、シール装着ブロック部材１４は、第１の環部２６および／またはチャンバ２８を、同じくシールブロック部材１４内に形成した成形円筒ピストンチャンバ５８へ接続するバリア流体流路５６を画成している。
【００１７】
ピストン６０（これはばね付勢されていても、いなくてもよい）がピストンチャンバ５８内へスライド可能に装着され、ピストンとシールブロック部材との間にＯ−リングガスケット８４を有する。ピストン６０は、シールブロック部材１４へ締着したエンドキャップ６２によってピストンチャンバ５８内に封じ込められる。ピストンへ一体的に接続されたレベル表示ロッド６４が、エンドキャップ６２に形成した穴を貫通してアキシャル方向に突出する。レベル表示ロッド６４に目盛（例えば、間を置いたマークおよび／または数値で印したスケール）を設けてもよく、系に包含されているバリア封止剤流体の量を表示する。一対のＯ−リングシール６６、６８が、エンドキャップ６２とシールブロック部材１４との間およびレベル表示ロッド６４とエンドキャップ６２との間をシールする。シールブロック部材１４内に画成された取入流路７０が、ピストンチャンバ５８をバリア封止剤流体で充填する手段を提供する。グリース取入ポート取付スタブ７２が取入流路７０の入口ポート内に装着される。
【００１８】
ピストン６０の一方側がピストンチャンバ５８内でバリア封止剤流体に作用して、バリア封止剤流体を与圧する。ピストン６０の他方側は、シールブロック部材１４を貫通して延びるドリル穿孔流路７４経由で弁流路２１内にあるプロセス流体の圧力に曝される。このように、プロセス流体圧力はバリア封止剤流体の与圧に利用され、その代わりバリア封止剤流体は２つの内部シール３２、３４間のチャンバに連通される。ピストン６０のサイズは、弁流路２１内の流体圧力より大きい圧力へバリア流体を与圧し得るように選定される。具体的には、表示ロッド６４が低い圧力の外部環境に曝されている場合、プロセス流体へ曝される面は、バリア流体に比べて広い（差動ピストン効果）。その結果、バリア流体圧力は自動調整式であり、プロセス流体の圧力に変化があれば、それに対して自動的に調節される。要求により、バリア流体に圧力を及ぼすことも可能な、例えば、ばね機構、外部圧力または外部負荷装置、それらの同等品等の他の種類の負荷装置を使用してもよい。
【００１９】
洩れが発生するとすれば、それは長期の点検間隔の後での発生となろうが、それはプロセス流体の洩れではなく、２つの内部シール３２、３４のいずれかを通過したバリア封止剤の洩れである可能性が最も高い。これは、プロセス流体洩れを有利に防ぎ、それによって環境への排出を低下させ、および／または危険状態に対する可能性が低減する。更に通常は、洩れ流体がバリア封止剤であることから、ピストン６０はバリア封止剤を、シールを通過して移動させあるいは押出そうとしており、これは、孔内にあったレベル表示ロッド６４が露出することになり、洩れ問題があり得るという表示を提供することを意味する。
【００２０】
本発明の一局面によると、バリア封止剤系は実質的にシールブロック部材１４の単一の単体の塊に内蔵される。シールブロック部材１４は、洩れを防ぐように両者間へ配置されかつ圧縮された単一のＯ−リングの静的シール要素７６を伴って、弁本体１７または他の与圧したリザーバもしくは機体（例えば、ポンプ）へ直接的に装着してもよい。外部の配管、液体継手、管、導管は必要なく、それにより複雑さは大幅に低減し、洩れまたは故障の可能性の低減をもたらす。加えて、与圧したピストン６０はシャフト１２から離されており、それによりシール組立体１０の構造が簡素化されるのでシール組立体１０の信頼性を高めるものと考えられる。
【００２１】
本発明の一局面によると、与圧したバリア封止剤が作用する両シール３２、３４は内部型のシールであるので、外部環境からの泥、ごみ、汚染物質その他の異物に曝されない。これは、汚染物質の進入を防ぐように第３シール３６を外部シールとして編成し、そのような汚染物質がシール３２、３４に達するのを防止することにより達成される。結果として、最大の応力と圧力を受けるシール３２、３４（とりわけシール３４）は両方とも内部シールであり、これら内部シールは、さもなければ外部環境からの異物によって誘発されるであろう更なる応力や磨耗に曝されることはない。
【００２２】
更になお、回収チャンバ３０がシール３４、３６間に形成されるということに重要な利点がある。ドリル穿孔による回収路７８は、シールブロック部材１４の外側の出力ポート８０を回収チャンバ３０と接続する。これは用途次第で数多くの目的に使用でき、例えば、概略的に示したように、計器つまりガスまたはバリア流体センサ機構８２がある。センサ機構８２は、第２シールを通過する流体および／またはバリア封止剤の洩れを検知するようになされる。これは、ピストンが動かなくなっていたり、バリア封止剤流路が詰っていたり、または他の起こり得る理由で、レベル表示ロッドによって表示がなされない場合であっても、洩れ発生の有無を検知できる更なる特徴を提供する。バリア封止剤洩れでなくガス洩れが発生している場合、レベル表示ロッドが問題を表示しないかもしれないが、センサ機構８２は表示する。更に、用途次第で、機構８２は、代替として、出力ポート８０に栓をする栓、出力ポートへ装着されて外部汚染物質が中間シール３４に作用することを防ぐ通気フィルタ、および／または、回収路と流体連通して回収領域から出力ポートへの一方向流れを許容するように編成された圧力逃し弁であってもよい。そのような圧力逃し弁は、それが開放されたのかどうかを示す機構をその上に有して、問題が存在するかどうか明らかにしてもよい。
【００２３】
より少ない部品を持つ本発明の別の実施の形態を図５に示す。この実施の形態では、リテーナ部品４２ａ〜４２ｄ（図２参照）が除かれている。残りの部品は同じであり、同様の符号が用いられている。この実施の形態は第１の実施の形態と同じように機能することが分かるであろう。
【００２４】
本明細書で引用する刊行物、特許出願および特許を含む全ての引例は、各引例が参照して組込まれるように個々にかつ明確に示され、本明細書にその全体が記載されているかのように、引用して本明細書に組込まれる。
【００２５】
シールまたは他の構造体に関して用いる際の用語「第１」、「第２」、および「第３」は単に差別化のためだけに使用され、シールまたは他の記載された構造体についての数字上の差別による限定も、相対位置による限定も提供するものではない。各請求項では、かかる目的のために他の用語が使用される。本発明の説明に関連して（特に以下のクレームに関連して）用いられる名詞及び同様な指示語の使用は、本明細書中で特に指摘したり、明らかに文脈と矛盾したりしない限り、単数および複数の両方に及ぶものと解釈される。語句「備える」、「有する」、「含む」および「包含する」は、特に断りのない限り、オープンエンドターム（すなわち「〜を含むが限定しない」という意味）として解釈される。本明細書中の数値範囲の記載は、本明細書中で特に指摘しない限り、単にその範囲内に該当する各値を個々に言及するための略記法としての役割を果たすことだけを意図しており、各値は、本明細書中で個々に列挙されるかのように、明細書に組み込まれる。本明細書中で説明されるすべての方法は、本明細書中で特に指摘したり、明らかに文脈と矛盾したりしない限り、あらゆる適切な順番で行うことができる。本明細書中で使用するあらゆる例または例示的な言い回し（例えば「など」）は、特に主張しない限り、単に本発明をよりよく説明することだけを意図し、本発明の範囲に対する制限を設けるものではない。明細書中の如何なる言い回しも、本発明の実施に不可欠である、請求項に記載されていない要素を示すものとは解釈されないものとする。  
【００２６】
本明細書中では、発明を実施するため本発明者が知っている最良の形態を含め、本発明の好ましい実施の形態について説明している。当業者にとっては、上記説明を読んだ上で、これらの好ましい実施の形態の変形が明らかとなろう。本発明者は、熟練者が適宜このような変形を適用することを期待しており、本明細書中で具体的に説明される以外の方法で発明が実施されることを予定している。従って本発明は、準拠法で許されているように、本明細書に添付されたクレームに記載の内容の修正および均等物をすべて含む。さらに、本明細書中で特に指摘したり、明らかに文脈と矛盾したりしない限り、好ましい実施の形態で考えられるすべての変形における上記要素のいずれの組合せも本発明に包含される。
【図面の簡単な説明】
【００２７】
【図１】図１は、本発明の実施の形態による可動シャフト用シール装着ブロックの単一図での断面略図である（ここでは、本発明のより良い理解を提供するために流路の全てを単一図に示すという点での略図である）。
【図２】図２は図１の部分拡大図であって、可動シャフトに沿うシーリング編成の詳細をより良好に図解する。
【図３】図３は、本発明の実施の形態による、可動シャフトに対してシールするための、ばねハウジングと弁本体との間に装着されたシール装着ブロックの断面図である。
【図４】図４は図３に示すシール装着ブロックの、図３に垂直な断面に沿う断面図であり、負荷ピストンおよび回収路に対しての詳細を図示する。
【図５】図５は、本発明の別の実施の形態に従う、図２に類似するがそれより少ない部品を持つシール組立体の図である。
【図１】
2007500331.tif 000003
【図２】
2007500331.tif 000004
【図３】
2007500331.tif 000005
【図４】
2007500331.tif 000006
【図５】
2007500331.tif 000007
【国際調査報告】
2007500331.tif 000008